(57)【要約】      （修正有）【課題】パチンコ台やゲーム機の椅子に長時間着座しても、着座時の疲れを軽減することができる椅子カバーを提供する。【解決手段】背面カバーシート１と前面カバーシート２とからなり、下部が開口部１１となっている袋状に形成され、背面カバーシートの表面が遊技場の通路側に臨むように椅子の背もたれ部を覆うカバー本体７と、前面カバーシートと背面カバーシートの間に設けられ、カバー本体の内部を前後に仕切る仕切りシート５と、前面カバーシート及び仕切りシートにおける開口部側に設けられて開口部を閉じる係止具３と、前面カバーシートと仕切りシートの間に出し入れ自在に収納される背当てクッション４と、を備え、仕切りシート及び背面カバーシートの開口部から背もたれ部６が挿入されて椅子１０に着脱自在に取り付けられる。【選択図】図４
0003158254.tif 000002
【実用新案登録請求の範囲】
【請求項１】
背面カバーシートと前面カバーシートとからなり、下部が開口部となっている袋状に形成され、前記背面カバーシートの表面が遊技場の通路側に臨むように椅子の背もたれ部を覆うカバー本体と、
前記前面カバーシートと背面カバーシートの間に設けられ、前記カバー本体の内部を前後に仕切る仕切りシートと、
前記前面カバーシート及び前記仕切りシートにおける開口部側に設けられて開口部を閉じる係止具と、
前記前面カバーシートと前記仕切りシートの間に出し入れ自在に収納される背当てクッションと、を備え、
前記仕切りシート及び背面カバーシートの開口部から前記背もたれ部が挿入されて椅子に着脱自在に取り付けられることを特徴とする椅子カバー。
【請求項２】
前記背面カバーシートの下部から吊り下がるスカート部が一体に形成されて、背もたれ部の下部を覆い隠すことを特徴とする請求項１に記載の椅子カバー。
【請求項３】
前記背面カバーシートの表面に意匠が印刷されていることを特徴とする請求項１に記載の椅子カバー。
【考案の詳細な説明】
【技術分野】
【０００１】
本考案は、椅子カバーに係り、より詳細には、パチンコ台やゲーム機の椅子に取り付ける椅子カバーであって、長時間着座しても着座時の疲れを軽減することができる椅子カバーに関する。
【背景技術】
【０００２】
パチンコ台の椅子には、背もたれ部にカバーが掛けられ、カバー表面にイベント内容や新規導入台の宣伝などの絵柄が描かれて店内雰囲気を盛り上げることがなされている。しかし、パチンコ店では長時間同じ姿勢でゲームを楽しむことが多いため、着座中に背中に疲労や痛みを感じることが多い。
【０００３】
特許文献１には、椅子カバーの周縁部にＬＥＤを取り付けることにより興趣性を付与しているが、背もたれが硬質の場合、着座者の背中が痛くなることを防ぎ、疲労を軽減する手段は備えていない。特許文献２には、椅子カバーのずれ落ちを防止するバンドが設けられるが、特許文献１と同様に、背中の痛みや疲労を軽減させる手段は備えていない。
【先行技術文献】
【特許文献】
【０００４】
【特許文献１】特開２００８−２１２３９４号公報
【特許文献２】特開２００５−６６１５１号公報
【考案の概要】
【考案が解決しようとする課題】
【０００５】
本考案の目的は、パチンコ台やゲーム機の椅子に長時間着座しても、着座時の痛みや疲労を軽減することができる椅子カバーを提供することにある。
【課題を解決するための手段】
【０００６】
本考案による椅子カバーは、背面カバーシートと前面カバーシートとからなり、下部が開口部となっている袋状に形成され、前記背面カバーシートの表面が遊技場の通路側に臨むように椅子の背もたれ部を覆うカバー本体と、前記前面カバーシートと背面カバーシートの間に設けられ、前記カバー本体の内部を前後に仕切る仕切りシートと、前記前面カバーシート及び前記仕切りシートにおける開口部側に設けられて開口部を閉じる係止具と、前記前面カバーシートと前記仕切りシートの間に出し入れ自在に収納される背当てクッションと、を備え、前記仕切りシート及び背面カバーシートの開口部から前記背もたれ部が挿入されて椅子に着脱自在に取り付けられることを特徴とする。
【０００７】
前記背面カバーシートの下部から吊り下がるスカート部が一体に形成されて、背もたれ部の下部を覆い隠すことを特徴とする。
【０００８】
前記背面カバーシートの表面に意匠が印刷されていることを特徴とする。
【考案の効果】
【０００９】
本考案による椅子カバーによれば、背中に良好なクッション性が付与される。このため長時間の着座による背中の痛みや疲労を軽減することができる。また、背当てクッションがカバー本体に出し入れ自由となっており、背当てクッションをカバー本体から取り出して分離した後は、カバー本体だけを新たなデザインされたものに交換し、背当てクッションを新たなデザインのカバー本体に用いる再利用が可能であり、経済的である。さらに、収納された背当てクッションの脱落を防止する係止具が前面カバーシートと仕切りシートとの間に設けられるため、係止具の装着跡が背面カバーシートに出ることがなく美感を向上できる。
【００１０】
請求項２に記載の背面カバーシート下部のスカート部は、印刷する領域を大きくでき、また、着座を含む背もたれ部の下部を覆い隠して美感を向上できる。
【００１１】
請求項３に記載の背面カバーシートの表面の意匠は、パチンコ台やゲーム機の識別の目安や、その宣伝を行なうことができる。
【図面の簡単な説明】
【００１２】
【図１】本考案による椅子カバーの概略図である。
【図２】本考案による背当てクッションの図である。
【図３】本考案による椅子カバーの取り付け状態を示す図である。
【図４】本考案による椅子カバーの断面図である。
【図５】本考案による椅子カバーを椅子に取り付けた状態図である。
【考案を実施するための形態】
【００１３】
図１および図２に本考案の実施形態を示す。本考案による椅子カバー５０は、カバー本体７（図１参照）と、仕切りシート５（図３参照）と、背当てクッション４（図２参照）と、で構成される。図１の（Ａ）はカバー本体７の正面図であり、（Ｂ）はカバー本体７の背面図である。
【００１４】
カバー本体７は、前面カバーシート２と背面カバーシート１とが面合わせされ、これらの周囲を縫い合わせることにより袋状に形成されている。背面カバーシート１は、布シート、樹脂シートによって形成されており、その表面には、意匠２０が印刷されている。意匠２０はパチンコ台やゲーム機に関連した図柄や文字などのデザイン、遊技場のイベントに関連した図柄や文字などのデザインに合わせて印刷される。
【００１５】
カバー本体７は、店内の椅子の背もたれ部を覆うように被せられるものであり、背もたれ部を覆った状態では、意匠２０が施された背面カバーシート１の表面が、遊技場の通路側に臨むようになっている。従って、客は通路に立つ際、あるいは通路を通過する際に、意匠２０を簡単に視認できるため、そのパチンコ台またはゲーム機の識別ができ、あるいはイベント内容を知ることができる。
【００１６】
前面カバーシート２は、着座者の背中に臨むものである。この実施形態における前面カバーシート２は、メッシュシートが用いられている。メッシュシートとすることにより、容易に膨らむことができ、後述する背当てクッション４の大小に合わせることができるとともに、背当てクッション４の有無を簡単に視認でき、しかも着座者の背中との間に通気性を付与することができる。なお、前面カバーシート２としては、メッシュシート以外の布シート、樹脂シートを用いることができる。このようなカバー本体７は、下部が開口部１１となった袋状に形成されるものであり、開口部１１の前面カバーシート２と仕切りシート５の下側の開口部分から背当てクッション４を出し入れする。
【００１７】
仕切りシート５は、カバー本体７の内部に設けられる。仕切りシート５は前面カバーシート２と背面カバーシート１との間に設けられ、カバー本体７の内部（すなわち袋体）を前後に仕切るように作用する。この場合、仕切りシート５は、下部を除く周辺部が縫い付けられており、このため、仕切りシート５を設けても、開口部１１は、その開口状態を維持している。椅子１０の背もたれ部６は、開口部１１における仕切りシート５と背面カバーシート１における開口部分から挿入される。
【００１８】
この実施形態において、前面カバーシート２と仕切りシート５との間に、背当てクッション４（図２参照）が出し入れ自在に収納される。背当てクッション４は、所定の厚さを有するクッション体により形成されており、椅子カバー５０の背当て部分にクッション性を付与する。従って、背当てクッション４を収納することにより、長時間の着座による背中の痛みや疲労を軽減することができる。
【００１９】
この実施形態では、前面カバーシート２と仕切りシート５との間には係止具３が取り付けられる。係止具３は、面ファスナーの一対の雌雄部材からなり、相互の係合状態および離脱状態を繰り返すことが可能な部材が使用される。係止具３は、前面カバーシート２および仕切りシート５の開口部１１に設けられるものであり、相互に係合することにより開口部１１を閉じる一方、係合離脱状態とすることにより開口部１１を開口させた状態とする。開口部１１を開口させることにより、前面カバーシート２および仕切りシート５の間の空間に対して、背当てクッション４を出し入れすることができる。
【００２０】
このように、係止具３が前面カバーシート２および仕切りシート５の間に設けられ、背面シートカバー１には設けられない構造とすることにより、係止具３の装着跡が背面カバーシート１の表面に現れることがない。このため、椅子カバー５０の美感が低下することがない。
【００２１】
図１に示すように、カバー本体７における背面カバーシート１にはスカート部８が一体に形成されている。スカート部８は前面カバーシート２よりも下方に位置するように、背面カバーシート１の下部から吊り下がるように設けられる。このように、スカート部８を背面カバーシート１に設けることにより、背面カバーシート１の表面の印刷領域を大きくでき、宣伝効果を向上できるとともに、椅子の背面下部を覆い隠して美感を向上させることができる。
【００２２】
図３により本考案の椅子カバーの取り付け法を説明する。先ず図３（Ａ）に示すように、カバー本体７の下部の開口部１１から前面カバーシート２と仕切りシート５で形成される空間に背当てクッション４を挿入する。そして図３（Ｂ）に示すように、係止具３で開口部１１を閉鎖して背当てクッション４が落ちないようにする。最後に図３（Ｃ）に示すように、椅子カバー５０を椅子１０の背もたれ部６に被せる。この時、背もたれ部６は、仕切りシート５と背面カバーシート１の間の空間に開口部１１から挿入される。
【００２３】
図４は、椅子カバー５０を椅子の背もたれ部６に被せた状態の断面図であり、図３のＥ−Ｅ断面を示す。背当てクッション４が、開口部１１から前面カバーシート２と仕切りシート５との間に挿入される。そして前面カバーシート２と仕切りカバーシート５の間は係止具３で閉じられる。背もたれ部６は、開口部１１から仕切りシート５と背面カバーシート１の間に挿入される。これにより椅子１０に椅子カバー５０が取り付けられる。
【００２４】
図５（Ａ）〜（Ｃ）は、椅子カバー５０を椅子の背もたれ部６に被せた状態の正面図、側面図、背面図である。背面カバーシート１のスカート部８が、椅子１０の着座部分を覆い隠しており、スカート部８を含めた背面カバーシー１の表面全体が遊戯場の通路側に臨んでいる。
【００２５】
このような椅子カバー５０においては、背当てクッション４によって良好なクッション性が付与されるため、長時間の着座での苦痛や疲労が軽減できる。また、背当てクッション４がカバー本体７から出し入れ自由となっているため、カバー本体７の交換の際に、背当てクッション４を再利用することができ経済的である。
【符号の説明】
【００２６】
１    背面カバーシート
２    前面カバーシート
３    係止具
４    背当てクッション
５    仕切りシート
６    背もたれ部
７    カバー本体
８    スカート部
１０    椅子
１１    開口部
２０    意匠
５０    椅子カバー
【図１】
0003158254.tif 000003
【図２】
0003158254.tif 000004
【図３】
0003158254.tif 000005
【図４】
0003158254.tif 000006
【図５】
0003158254.tif 000007